(57)【特許請求の範囲】
【請求項１】
農地に設置される太陽光発電設備であって、
太陽電池パネルと、
前記太陽電池パネルを支持する架台とが備えられ、
前記太陽電池パネルは、その表面形状の角部分のうちの一つが最下端に位置するように、かつ、最下端の前記角部分から延びる２つの辺縁部が互いに傾斜となるように、水平面に対して傾斜した状態で前記架台に支持され、
前記太陽電池パネルの最下端の前記角部分から最下端の一つ上側の前記角部分へ延びる辺縁部に沿った排水ガイドが、前記太陽電池パネルに設けられ、
前記架台は、前記太陽電池パネルを支持する一対の支持フレームと、一対の前記支持フレームを支持する梁フレームと、前記農地から鉛直方向に延び、前記梁フレームを支持する支柱と、前記支柱と前記梁フレームとに連結される補強部材とを備え、
前記太陽電池パネルと前記梁フレームとは隣り合う位置に配置され、前記排水ガイドの排水口が前記補強部材の直上方に位置することにより、前記排水口から排出された液滴が前記補強部材及び前記支柱に沿って前記農地へ流下する構成を備える太陽光発電設備。
【請求項２】
前記表面形状が四角形状である請求項１に記載の太陽光発電設備。
【請求項３】
前記架台は、水平方向に延びる一対の支持フレームを備え、
前記太陽電池パネルは、前記排水ガイドの延伸方向の辺縁部が一対の前記支持フレームの夫々の軸芯に沿う方向に対して傾斜する状態で一対の前記支持フレームに支持されている請求項２に記載の太陽光発電設備。
【請求項４】
前記架台は、水平方向に延びる一対の支持フレームを鉛直方向に沿う方向に間隔を空けて、且つ水平方向に沿う方向に間隔を空けて並ぶ状態で備え、
前記太陽電池パネルが一対の前記支持フレームによって下方から受け止め支持されている請求項１〜３のいずれか１項に記載の太陽光発電設備。
【請求項５】
前記架台は、一対の前記支持フレームを支持する梁フレームを備え、
一対の前記支持フレームの一方の支持フレームが前記梁フレームの上側に連結され、
一対の前記支持フレームの他方の支持フレームが前記梁フレームの下側に連結されている請求項３又は４に記載の太陽光発電設備。
【請求項６】
一対の前記支持フレームに亘って連結される一対の取付脚部が、前記太陽電池パネルの横幅方向に並ぶ状態で前記太陽電池パネルから一対の前記支持フレームに向けて突設され、
一対の前記取付脚部の一方の取付脚部が前記太陽電池パネルから突出する高さが、他方の取付脚部が前記太陽電池パネルから突出する高さよりも高い請求項３〜５のいずれか１項に記載の太陽光発電設備。
【請求項７】
前記太陽電池パネルの前記排水ガイドの延伸方向の辺縁部が一対の前記支持フレームの夫々の軸芯に沿う方向に対して傾斜する状態で、かつ、前記太陽電池パネルの４つの角部分のうちの１つの角部分が他の３つの角部分よりも低く位置する状態で、一対の前記取付脚部が一対の前記支持フレームに連結されている請求項６に記載の太陽光発電設備。
【請求項８】
前記排水ガイドの前記排水口が、最下端の前記角部分よりも前記太陽電池パネルの前記排水ガイドの延伸方向外側に位置している請求項１〜７のいずれか１項に記載の太陽光発電設備。
【請求項９】
前記排水ガイドは、その水路の始点における最も低い位置と前記水路の終点における最も低い位置とを結ぶ直線と、最下端の前記角部分から前記排水ガイドの延伸方向に延びる辺縁部との間隔が前記排水口側ほど広くなるにように構成されている請求項８に記載の太陽光発電設備。
【請求項１０】
前記排水ガイドは、下面が前記排水口側ほど下方に位置する傾斜状態となるように構成されている請求項８又は９に記載の太陽光発電設備。
【請求項１１】
前記排水ガイドに、前記排水口から下方向きに延出する水切り板が設けられている請求項８〜１０のいずれか１項に記載の太陽光発電設備。
【請求項１２】
請求項１〜１１のいずれか１項の太陽光発電設備を使用して発電する太陽光発電方法。
【発明の詳細な説明】
【技術分野】
【０００１】
本発明は、太陽電池パネル、及び農地に設置され、前記太陽電池パネルを耕作面の上方に位置させて支持する架台が備えられた太陽光発電設備と、太陽光発電方法とに関する。
【背景技術】
【０００２】
上記した太陽発電設備は、農地に設置するものでありながら、作物栽培をしつつ太陽光発電をすることを可能にされたものである。
この種の太陽光発電設備として、例えば、特許文献１に示されるものがある。特許文献１に示されるものでは、農地に設置される架台としてのヤグラ、ヤグラに支持される太陽電池モジュール（太陽電池パネル）が備えられている。
【先行技術文献】
【特許文献】
【０００３】
【特許文献１】特開２０１４−２３６２００号公報
【発明の概要】
【発明が解決しようとする課題】
【０００４】
太陽電池パネルは、表面が上向きに、かつ傾斜面になる状態で架台に支持される。表面が傾斜面になることで太陽電池パネルの下端側に位置する辺縁部の方向が水平面に沿う方向となる場合、太陽電池パネルに降ったり下りたりした雨水や露など、また、散布されて太陽電池パネルにかかった農薬や灌漑水など、太陽電池パネルに付着した液滴が作物に悪影響を及ぼすことを回避するのには、下端側の辺縁部に沿う樋を設ける必要がある。
【０００５】
すなわち、下端側の辺縁部の方向が水平面に沿う方向になっている場合、太陽電池パネルの表面に付着した液滴は、その表面を転落し、下端側の辺縁部の全長に亘る部位に至り、辺縁部の全長に亘る部位から滴下する。辺縁部の全長に亘る部位から滴下する液滴がそのまま農地に落ちると、畝などの耕作面に落ちがちとなる。耕作面に液滴が落ちると、耕作面から土が跳ね上がり、跳ね上がった土が作物に付着し易くなる。葉物野菜にあっては、土が付着すると、品質低下になる。品質低下を回避するのには、付着した土を洗い落とす手間が必要になる。そこで、液滴が滴下する辺縁部に沿った樋を設け、辺縁部から滴下する雨水などを耕作面から外れた箇所に落下するよう案内する必要がある。
【０００６】
また、下端側の辺縁部の全長に亘る部位から液滴が滴下して、樋の全長に亘って液滴が流入するので、殊に雨水が樋から溢れ出難いように、容量が多い大型の樋が必要になる。
【０００７】
本発明の目的は、太陽電池パネルに付着した雨水などの液滴を作物に影響し難くしつつ発電できる太陽光発電設備及び太陽光発電方法を提供することにある。
【課題を解決するための手段】
【０００８】
【０００９】
【００１０】
【００１１】
【００１２】
本開示の太陽光発電設備の別の特徴構成は、
農地に設置される太陽光発電設備であって、
太陽電池パネルと、
前記太陽電池パネルを支持する架台とが備えられ、
前記太陽電池パネルは、その表面形状の角部分のうちの一つが最下端に位置するように、かつ、最下端の前記角部分から延びる２つの辺縁部が互いに傾斜となるように、水平面に対して傾斜した状態で前記架台に支持されて、
前記太陽電池パネルの最下端の前記角部分から最下端の一つ上側の前記角部分へ延びる辺縁部に沿った排水ガイドが、前記太陽電池パネルに設けられ、
前記架台は、前記太陽電池パネルを支持する一対の支持フレームと、一対の前記支持フレームを支持する梁フレームと、農地から鉛直方向に延び、前記梁フレームを支持する支柱と、前記支柱と前記梁フレームとに連結される補強部材とを備え、
前記太陽電池パネルと前記梁フレームとは隣り合う位置に配置され、前記排水ガイドの排水口が前記補強部材の直上方に位置することにより、前記排水口から排出された液滴が前記補強部材及び前記支柱に沿って前記農地へ流下する構成を備える。
【００１３】
本構成によると、表面に付着した液滴が表面を最下端の角部分に向かって転落するので、表面に付着した液滴を最下端の角部分及びその付近に集めて、この角部分及びその付近から太陽電池パネルの外部に滴下させられる。
【００１４】
従って、辺縁部に沿う排水ガイドを設けなくとも、表面に付着した液滴を農地のうちの狭い範囲の箇所に排出できる。つまり、太陽電池パネルに付着した液滴を耕作面から離れた箇所に排出するとか、耕作面であっても狭い範囲の箇所に纏めて排出するとかして、跳ね上がり泥土が作物に付くなどの影響を作物に及ぼさないようにしたり、及ぼし難くしたりできる。
【００１５】
短時間の雨水量が多いときのことを考慮して、辺縁部に沿う排水ガイドを設けても、辺縁部の方向が水平面に沿う方向であるものに比べ、最下端の角部分から遠い範囲に流入する雨水の量を削減でき、また、排水ガイドの全長に亘って雨水が流入することを回避し易いので、排水ガイドから雨水が溢れることを回避や抑制できる。
また、本構成によれば、排水口から出る液滴が補強部材に滴下し、補強部材に滴下した液滴が補強部材に沿って流下して支柱に至り、支柱に至った液滴が支柱に沿って流下して圃場に至る。支柱は、畝間など、耕作面から外れた箇所に設置されるので、補強部材及び支柱を排水ガイド手段に活用した構造簡単な排水構造によって耕作面外の箇所へ精度よく排水できる。
【００１６】
上記構成において、前記表面形状が四角形状であると好適である。
【００１７】
本構成によると、複数の太陽電池パネルを並べるとき、太陽電池パネル同士の間に無駄な空間ができ難い。
【００１８】
上記構成において、前記架台は、水平方向に延びる一対の支持フレームを備え、前記太陽電池パネルは、前記排水ガイドの延伸方向の辺縁部が一対の前記支持フレームの夫々の軸芯に沿う方向に対して傾斜する状態で一対の前記支持フレームに支持されていると好適である。
【００１９】
本構成によれば、太陽電池パネルを一対の支持フレームに支持させると、横向きの辺縁部に沿う方向が一対の支持フレームの夫々の軸芯に沿う方向に対して傾斜する状態で支持されるので、太陽電池パネルを一対の支持フレームに取付けるだけで操作簡単に、４つの角部分のうちの１つの角部分を最下端の角部分にできる。
【００２０】
上記構成において、前記架台は、水平方向に延びる一対の支持フレームを鉛直方向に沿う方向に間隔を空けて、且つ水平方向に沿う方向に間隔を空けて並ぶ状態で備え、前記太陽電池パネルが一対の前記支持フレームによって下方から受け止め支持されていると好適である。
【００２１】
本構成によれば、太陽電池パネルを一対の支持フレームに支持させると、一対の支持フレームが鉛直方向に方向、及び水平方向に沿う方向の夫々に間隔を空けて並んでいるので、かつ、太陽電池パネルが一対の支持フレームによって下方から受け止め支持されるので、太陽パネルの表面を傾斜面にできる。つまり、太陽電池パネルを一対の支持フレームに支持させるだけで、特別な姿勢調整部材を準備せずとも、表面を傾斜面にできる。
【００２２】
上記構成において、前記架台は、一対の前記支持フレームを支持する梁フレームを備え、一対の前記支持フレームの一方の支持フレームが前記梁フレームの上側に連結され、一対の前記支持フレームの他方の支持フレームが前記梁フレームの下側に連結されていると好適である。
【００２３】
本構成によれば、梁フレームをスペーサ部材に活用して一対の支持フレームの高さの相違を現出できるので、特別なスペーサ部材を不要にした構造簡単な支持構造で、太陽電池パネルの表面を傾斜面にできる。
【００２４】
上記構成において、一対の前記支持フレームに亘って連結される一対の取付脚部が、前記太陽電池パネルの横幅方向に並ぶ状態で前記太陽電池パネルから一対の前記支持フレームに向けて突設され、一対の前記取付脚部の一方の取付脚部が前記太陽電池パネルから突出する高さが、他方の取付脚部が前記太陽電池パネルから突出する高さよりも高いと好適である。
【００２５】
本構成によれば、一対の取付脚部を一対の支持フレームに連結すれば、一対の取付脚部の突出高さの相違によって、４つの角部分のうちの１つの角部分が最下端の角部分になるので、特別な姿勢調整部材を不要にできる。
【００２６】
上記構成において、前記太陽電池パネルの前記排水ガイドの延伸方向の辺縁部が一対の前記支持フレームの夫々の軸芯に沿う方向に対して傾斜する状態で、かつ、前記太陽電池パネルの４つの角部分のうちの１つの角部分が他の３つの角部分よりも低く位置する状態で、一対の前記取付脚部が一対の前記支持フレームに連結されていると好適である。
【００２７】
本構成によれば、一対の取付脚部を一対の支持フレームに連結すれば、一対の取付脚部の太陽電池パネルからの突出高さが相違していることによって、かつ、横向きの辺縁部に沿う方向が一対の支持フレームの夫々の軸芯に沿う方向に対して傾斜することで、さらに、１つの角部分が他の３つの角部分よりも低く位置することで、最下端の角部分と他の３つの角部分との高低差が大きくなる。この結果、液滴が表面を最下端の角部分に向かってスムーズに転落し、表面に付着した液滴をスムーズに排出できる。
【００２８】
上記構成において、前記排水ガイドの前記排水口が、最下端の前記角部分よりも前記太陽電池パネルの前記排水ガイドの延伸方向外側に位置していると好適である。
【００２９】
本構成によれば、短時間の雨水量が多く、太陽電池パネルの表面を転落する雨水が、最下端の角部分及びその付近に向かうのみならず、最下端の角部分から離れた部位に向かうことになっても、最下端の角部分から離れた部位から滴下する雨水を排水ガイドに受け入れて、排水ガイドによって案内して排出できる。排水ガイドの排水口が太陽電池パネルの最下端の角部分よりも太陽電池パネルの横外側に位置しているので、太陽電池パネルからの雨水を畝間など、耕作面外の箇所により精度よく排水できる。
また、太陽電池パネルには、雨水の他に、霧、霜、結露、施肥、農薬散布、又は灌漑もしくは冷却のための散水により液滴が付着することがある。これらの液滴についても雨水の場合と同様の効果がある。
【００３０】
短時間の雨水量の多い少ないにかかわらず、また、霧、霜、結露、施肥、農薬散布、又は灌漑もしくは冷却のための散水による液滴の多少にかかわらず、耕作面から外れた箇所に精度よく向けて排出でき、排出する液滴が作物により影響しないようにできる。
【００３１】
上記構成において、前記排水ガイドは、その水路の始点における最も低い位置と前記水路の終点における最も低い位置とを結ぶ直線と、最下端の前記角部分から前記排水ガイドの延伸方向に延びる辺縁部との間隔が前記排水口側ほど広くなるにように構成されていると好適である。
【００３２】
本構成によると、水路の横断面積が水路の始点から排水口に向かって広くなっていく。
最下端の角部分から離れた部位よりも、最下端の角部分及びその付近の方が多量の液滴が滴下するが、その多量の液滴が、水路のうち、排水口側の横断面積が広い部分に流入するので、液滴を排水ガイドに溢れ出難いように受け入れられる。水路の横断面積が全長に亘って広い排水ガイドに比して、小形の排水ガイドを採用したコンパクトな排水構造によって、液滴を排水ガイドの途中から溢れ出難くしつつ排水口から排出できる。
【００３３】
上記構成において、前記排水ガイドは、下面が前記排水口側ほど下方に位置する傾斜状態となるように構成されていると好適である。
【００３４】
本構成によると、排水ガイドの下面に結露水や農薬などの液滴が付着しても、付着した液滴が下面に沿って排水口に向けて流れて行き易い。この結果、下面に付着した液滴が排水ガイドの途中から滴下することの回避が可能となる。
【００３５】
【００３６】
【００３７】
上記構成において、前記排水ガイドに、前記排水口から下方向きに延出する水切り板が設けられていると好適である。
【００３８】
本構成によれば、排水口から流下する液滴を排水ガイドの下面に回り込まないように水切り板によって水切りできる。排水ガイドから排出される液滴が下面に回り込んで作物やその付近に落下することを回避できる。
【００３９】
本開示の太陽光発電方法の特徴は、上記構成の太陽光発電設備を使用することにある。
【００４０】
本特徴によると、太陽電池パネルに付着した雨水などの液滴を作物に悪影響を及ぼし難くしつつ発電できる太陽光発電方法を提供できる。
【図面の簡単な説明】
【００４１】
【図１】太陽光発電設備の全体を示す斜視図である。
【図２】太陽電池パネルの支持構造を示す斜視図である。
【図３】太陽電池パネルの支持構造を示す正面図である。
【図４】太陽電池パネルの支持構造を示す側面図である。
【図５】太陽電池パネルの全体を示す斜視図である。
【図６】太陽電池パネルの角部分を示す斜視図である。
【図７】太陽電池パネルを示す後面図である。
【図８】太陽電池パネルの支持姿勢を示す平面図である。
【図９】排水ガイドを示す縦断面図である。
【図１０】別の実施構造を備えた太陽電池パネルを示す平面図である。
【図１１】図１０のＸＩ−ＸＩ断面矢視図である。
【図１２】別の実施構造を備えた角部分を示す平面図である。
【図１３】別の実施構造を備えた角部分を示す平面図である。
【発明を実施するための形態】
【００４２】
以下、本発明の実施の形態を図面に基づいて説明する。
図１は、本発明の実施例に係る太陽光発電設備の全体を示す斜視図である。図１に示す矢印Ｎの方向は、北方向を示し、矢印Ｓの方向は、南方向を示し、矢印Ｅの方向は、東方向を示し、矢印Ｗの方向は、西方向を示す。
【００４３】
この太陽光発電設備は、農地において、農地を作物栽培が可能な状態にして発電する太陽光発電方法に使用するものである。
【００４４】
本発明の実施例に係る太陽光発電設備は、図１に示すように、農地１に設置された架台２、及び、架台２の上部に支持された複数の太陽電池パネル３を備えている。複数の太陽電池パネル３は、南北方向及び東西方向に並んでいる。
【００４５】
複数の太陽電池パネル３は、畝４（耕作面）の上方に位置する状態で支持されている。
農地１で作物栽培をしつつ複数の太陽電池パネル３によって太陽光発電をできる。
【００４６】
具体的には、架台２には、南北方向及び東西方向に並ぶ複数の支柱１０が備えられている。複数の支柱１０の夫々は、農地１のうち、畝４から外れた箇所に立てられている。地面から各太陽電池パネル３の下端までの高さは、耕耘などの栽培用作業ができる高さに設定されている。本実施例では、地面から各太陽電池パネル３の最下端までの高さは、乗用型トラクタ、乗用型田植機などの農機を使用できる高さに設定されている。南北方向に隣り合う太陽電池パネル３の間、及び、東西方向に隣り合う太陽電池パネル３の間の夫々に、畝４に採光できる隙間が設けられている。
【００４７】
複数の太陽電池パネル３の夫々は、表面形状が四角形状となるように構成されている。
具体的には、複数の太陽電池パネル３の夫々は、図１，２，５に示すように、１つのパネルフレーム３ａと、複数の太陽電池セル３ｂとを備えている。パネルフレーム３ａの平面視形状が四角形状に形成されている。複数の太陽電池セル３ｂは、太陽電池パネル３の横向きの辺縁部３ｃに沿う方向、及び縦向きの辺縁部３ｄに沿う方向に並ぶ状態でパネルフレーム３ａに支持されている。本実施例では、パネルフレーム３ａの平面視形状は、横辺が縦辺よりも長い長方形の四角形状に形成されている。本実施例では、太陽電池パネル３の表面形状を横長長方形の四角形状に形成しているが、表面形状は、横長長方形に限らず、本発明の効果を妨げるものでなければ、縦長長方形、正方形、台形、平行四辺形、ひし形などの四角形状に形成してもよい。また、四角形状に限らず、三角形状、五角形状などの多角形状に形成してもよい。
【００４８】
本実施例では、角部分Ａ，Ｂの形状を、角張った形状に形成しているが、角張った形状に限らず、図１２に示す如く削り丸面Ｒ（アール）を備えた円弧形状、図１３に示す如く削り角面Ｄを備えた非円弧形状に形成してもよい。角部分Ａ，Ｂを非円弧形状に形成した場合、削り角面Ｄの両端に角Ｃが形成される。この場合、削り角面Ｄの距離、すなわち２つの角Ｃの間の距離を、太陽電池パネル３の全外周の長さの１０％以下の距離に設定する。
【００４９】
本実施例では、太陽電池パネル３は、パネルフレーム３ａに外周部が太陽電池セル３ｂよりも外側に突出するように構成されているが、パネルフレーム３ａの外周縁と太陽電池セル３ｂの外周縁とが太陽電池パネル３の表裏方向に並ぶなど、パネルフレーム３ａが太陽電池セル３ｂよりも外側に突出しないように構成してもよい。
【００５０】
複数の太陽電池パネル３の夫々は、その辺縁部３ｃ，３ｄのうち太陽電池パネル３の表面に付着した液滴が転落により到達しうる部分に含まれ、かつ耕作面４の鉛直上方にある部分に含まれる太陽電池パネル３を裏面からみたときの太陽電池パネル３の輪郭上の各点において、輪郭Ｘと接し、かつ輪郭Ｘを含む平面に含まれる接線Ｌが、いずれも水平面と平行でない状態で架台２に支持されている。
【００５１】
太陽電池パネル３の表面に付着した雨水や農薬などの液滴が表面を転落して向かう辺縁部３ｃが水平面に対して傾斜し、その辺縁部３ｃの低い側の端部に位置する角部分Ａが他の３つの角部分Ｂよりも下方に位置する。表面に液滴が付着すると、液滴が表面を角部分Ａに向かって転落し、付着した液滴を角部分Ａ及びその付近に集めて角部分Ａ及びその付近から太陽電池パネル３の外部に滴下させられる。
【００５２】
各太陽電池パネル３が架台２に支持される状態を、辺縁部３ｃ，３ｄのうち耕作面４の鉛直上方にある各点において、各点の太陽電池パネル３の表面に沿う面に含まれる接線が、水平面と平行でない状態に設定してもよい。
【００５３】
各太陽電池パネル３が架台２に支持される状態を、辺縁部３ｃ，３ｄのうち太陽電池パネル３の表面に付着した液滴が転落により到達しうる部分３ｃに含まれる各点において、各点の表面に沿う面に含まれる接線Ｌが、水平面と平行でない状態に設定してもよい。
【００５４】
複数の太陽電池パネル３の夫々は、その表面形状の角部分Ａが最下端に位置するように、かつ、角部分Ａから延びる２つの辺縁部３ｃ，３ｄが互いに傾斜となるように、水平面に対して傾斜した状態で架台２に支持されている。
【００５５】
太陽電池パネル３の表面に雨水、農薬などの液滴が付着すると、液滴が表面を最下端の角部分Ａに向かって転落し、付着した液滴を角部分Ａ及びその付近に集めて角部分Ａ及びその付近から太陽電池パネルの外部に滴下させられる。本実施例では、太陽電池パネル３の表面には、太陽電池セル３ｂの受光面及びパネルフレーム３ａの上面が含まれる。
【００５６】
複数の太陽電池パネル３の夫々は、具体的には、次の如き支持構造に基づいて架台２に支持されている。
【００５７】
複数の太陽電池パネル３は、図１に示すように、一部の複数の太陽電池パネル３が東西方向に並んで１つのパネル群をなし、複数のパネル群が南北方向に並ぶ状態で並んでいる。架台２は、南北方向に並ぶ複数のパネル支持部２Ａを備えている。複数のパネル群の夫々の複数の太陽電池パネル３が１つのパネル支持部２Ａに支持されている。複数のパネル支持部２Ａの夫々は、同じ構成を備えている。
【００５８】
複数のパネル支持部２Ａの夫々は、図１，２，３，４に示すように、水平方向に延びる一対の支持フレーム１１，１２を備えている。本実施例では、一対の支持フレーム１１，１２は、東西方向に延びている。一対の支持フレーム１１，１２は、鉛直方向に沿う方向に間隔を空けて、かつ水平方向（南北方向）に沿う方向に間隔を空けて並ぶ状態で支持されている。
【００５９】
具体的には、一対の支持フレーム１１，１２は、複数の梁フレーム１３に支持されている。複数の梁フレーム１３は、支持フレーム１１，１２の長手方向に間隔を空けて並んでいる。複数の梁フレーム１３の夫々は、水平方向に、かつ南北方向に延びている。一対の支持フレーム１１，１２のうちの上の支持フレーム１１が複数の梁フレーム１３の夫々の上側に連結され、一対の支持フレーム１１，１２のうちの下の支持フレーム１２が複数の梁フレーム１３の夫々の下側に連結されている。梁フレーム１３をスペーサ部材に活用して、一対の支持フレーム１１，１２の間に鉛直方向の間隔を設けている。
【００６０】
太陽電池パネル３の表面を液滴が転落するか否かは、主に太陽電池パネル３の傾き、液滴の表面張力、太陽電池パネル表面の材質及び液滴の大きさで決まるが、太陽電池パネル３の傾きが大きすぎると転落する液滴の速度が転落中に大きくなりすぎ、太陽電池パネル３の辺縁部３ｃや後述する排水ガイド２０で受け止めることができず、そのまま農地又はこれに含まれる耕作面に滴下する可能性が大きくなる。また、太陽電池パネル３の傾きが小さすぎると大きな液滴しか転落しなくなり、転落した際には太陽電池パネル３の辺縁部３ｃや排水ガイド２０で受け止めることができず、そのまま農地又はこれに含まれる耕作面に滴下する可能性が大きくなる。このことから、支持フレーム１１，１２の水平方向及び鉛直方向の間隔は、太陽電池パネル３に本発明の効果を発揮するように傾斜を設けるように適宜設定すればよいが、好ましくは太陽電池パネル３の表面に添う平面と水平面の角度（図４参照）〔円周を３６０等分した弧の中心に対する角度〕が５°から３０°の範囲（境界値を含まない）となるように設定することが好ましく、１８°から２２°の範囲（境界値を含まない）となるように設定することがさらに好ましい。
【００６１】
複数のパネル支持部２Ａにおける複数の梁フレーム１３の夫々は、一連のフレーム部材によって構成されている。複数のパネル支持部２Ａにおける各梁フレーム１３は、複数のパネル支持部２Ａに共通の梁フレーム１３になっている。複数の梁フレーム１３の夫々は、複数の支柱１０によって支持されている。複数の梁フレーム１３に亘って複数の補強フレーム１４が連結されている。複数の補強フレーム１４は、東西方向に延びている。複数の梁フレーム１３の夫々に対する複数の支柱１０、及び補強フレーム１４は、梁フレーム１３のうち、隣り合う一対のパネル支持部２Ａを挟んで位置する部位の夫々に連結されている。
【００６２】
複数の太陽電池パネル３の夫々において、図４，５，７に示すように、太陽電池パネル３の裏側から一対の取付脚部５，６が一対の支持フレーム１１，１２向けて突設されている。一対の取付脚部５，６は、太陽電池パネル３の横幅方向に間隔を空けて並んでいる。
一対の取付脚部５，６のうちの一方の取付脚部５が太陽電池パネル３から突出する高さ５ｈが、一対の取付脚部５，６のうちの他方の取付脚部６が太陽電池パネル３から突出する高さ６ｈよりも高く設定されている。
【００６３】
取付脚部５の高さ５ｈ及び取付脚部６の高さ６ｈは、太陽電池パネル３に本発明の効果を発揮するように傾斜を設け、かつ太陽電池パネル３と支持フレーム１１，１２が干渉しないように適宜設定すればよいが、好ましくは太陽電池パネル３の表面に添う平面と支持フレーム１１，１２に添う直線の交点における角度(図７参照)〔円周を３６０等分した弧の中心に対する角度〕が０．１°から３°の範囲（境界値を含まない）であることが好ましく、０．５°から１．５°の範囲（境界値を含まない）であることがさらに好ましい。
【００６４】
太陽電池パネル３の横向きの辺縁部３ｃに沿う方向が一対の支持フレーム１１，１２の夫々の軸芯１１ａ，１２ａに対して傾斜する状態にして、一対の取付脚部５，６の夫々が一対の支持フレーム１１，１２に亘って載置して連結されている。図４に示すように、一対の取付脚部５，６の夫々と、下の支持フレーム１２とは、クリップ３０によって連結されている。一対の取付脚部５，６の夫々は、下方向きに開放した溝型に形成されている。
クリップ３０のパネル側は、取付脚部５，６の溝内に係入されることで、取付脚部５，６に連結される。クリップ３０のフレーム側は、下の支持フレーム１２に対してこれを挟むように装着されて締め付けられることで、下の支持フレーム１２に連結される。一対の取付脚部５，６の夫々と、上の支持フレーム１１とは、Ｕボルト３１によって連結されている。
【００６５】
図４に示すように、太陽電池パネル３を下方から支持する一対の支持フレーム１１，１２が鉛直方向に沿う方向に間隔を空けて、かつ水平方向に沿う方向に間隔を空けて並んでいることで、太陽電池パネル３は、一方の横向きの辺縁部３ｃが他方の横向きの辺縁部３ｃよりも上方に位置する状態に傾斜する。図７に示すように、一対の取付脚部５，６のうちの一方の取付脚部５が太陽電池パネル３から突出する高さ５ｈが、他方の取付脚部６が太陽電池パネル３から突出する高さ６ｈよりも高いことで、太陽電池パネル３は、一方の縦向きの辺縁部３ｄが他方の縦向きの辺縁部３ｄよりも上方に位置する状態に傾斜する。
図８に示すように、太陽電池パネル３の横向きの辺縁部３ｃに沿う方向が水平方向に延びる一対の支持フレーム１１，１２夫々の軸芯１１ａ，１２ａの方向に対して傾斜していることで、太陽電池パネル３は、平面視において、最下端の角部分Ａを揺動支点にして揺動した状態に傾斜する。これら３つの傾斜により、太陽電池パネル３の支持姿勢は、１つの角部分Ａ（最下端の角部分）が他の３つの角部分Ｂよりも低く位置し、さらに、最下端の角部分Ａから延びる横向きの辺縁部３ｃが最下端の角部分Ａから離れるほど上方に位置する状態に傾斜した支持姿勢になる。太陽電池パネル３の表面に沿って転落する雨水、農薬などの液滴が最下端の角部分Ａ及びその付近に向かって転落し、太陽電池パネル３に付着した液滴を最下端の角部分Ａ及びその付近に集めて、最下端の角部分Ａ及びその付近から太陽電池パネル３の外部に滴下させられる。
【００６６】
支持フレーム１１，１２に対する太陽電池パネル３の傾きは、太陽電池パネル３に本発明の効果を発揮するように傾斜を設け、かつ太陽電池パネル３と支持フレーム１１，１２が干渉しないように適宜設定すればよいが、好ましくは太陽電池パネル３の表面に沿う平面に、支持フレーム１１，１２に沿う直線を垂直に投影した直線と、太陽電池パネル３の横向きの辺縁部３ｃに沿う直線の交点における角度（図８参照）〔円周を３６０等分した弧の中心に対する角度〕が０．１°から３°の範囲（境界値を含まない）であることが好ましく、０．５°から１．５°の範囲（境界値を含まない）であることがさらに好ましい。
【００６７】
一対の支持フレーム１１，１２の鉛直方向に沿う方向の間隔を変更することなく、水平方向に沿う方向の間隔を変更可能に構成して実施すると有利である。すなわち、水平方向に沿う方向の間隔を変更することにより、太陽電池パネル３の図４に示される傾斜角を変更調節できる。
【００６８】
太陽電池パネル３を支持フレーム１１，１２に支持するのに、縦向きの辺縁部３ｄの方向に沿う方向視において、横向きの辺縁部３ｃに沿う方向と、支持フレーム１１，１２の軸芯に沿う方向とが平行になり、かつ、平面視において、横向きの辺縁部３ｃに沿う方向が支持フレーム１１，１２の軸芯に沿う方向に対して傾斜する状態で支持する場合、太陽電池パネル３は、図７に示される傾斜を備えず、図８に示される傾斜を備える。
【００６９】
各パネル群において、隣合う梁フレーム１３の間に２つの太陽電池パネル３が位置している。この２つの太陽電池パネル３の夫々の架台２に支持される姿勢は、下側の２つの角部分Ａ，Ｂのうち、梁フレーム１３に近い方の角部分Ａが他の３つの角部分Ｂよりも低く位置する姿勢になっている。
【００７０】
各パネル群において、梁フレーム１３を挟んで隣り合う太陽電池パネル３の間隔が、梁フレーム１３を挟まないで隣り合う太陽電池パネル３の間隔よりも狭くなっている。一対の支持フレーム１１，１２の夫々における梁フレーム１３寄りの部位に、梁フレーム１３から離れた部位よりも太陽電池パネル３の荷重が大きく掛かる状態で太陽電池パネル３が支持されている。
【００７１】
図２，４，５，７に示すように、複数の太陽電池パネル３の夫々に排水ガイド２０が設けられている。排水ガイド２０は、最下端の角部分Ａから延びる横向きの辺縁部３ｃに沿う状態で設けられている。図６，７に示すように、排水ガイド２０の一端側が最下端の角部分Ａよりも太陽電池パネル３の横外側に位置する箇所まで延出され、この延出端に排水口２１が設けられている。図２，４に示すように、排水口２１は、補強部材１５の直上方箇所に配置されている。補強部材１５は、支柱１０と梁フレーム１３とに連結されている。補強部材１５は、梁フレーム１３側ほど上方に位置する傾斜姿勢で連結されている。
【００７２】
太陽電池パネル３から滴下する雨水などの液滴が排水ガイド２０によって受け止められ、排水ガイド２０に沿って太陽電池パネル３の横外側に流動し、排水口２１から排出されて補強部材１５に落下する。補強部材１５に落下した液滴が補強部材１５に沿って流下して支柱１０に到達する。支柱１０に到達した液滴が支柱１０に沿って流下し、支柱１０から圃場に流れ出る。
【００７３】
支柱１０は、畝間など、畝４から外れた箇所に立っているので、太陽電池パネル３から滴下した液滴を畝４から外れた箇所に排出できる。補強部材１５及び支柱１０を排水ガイドに活用して排出できる。
【００７４】
図４，５，６，７に示すように、排水口２１から水切り板２２が下方向きに延出されている。排水口２１から出る液滴を排水ガイド２０の下面２０ａに回り込まないように水切り板２２によって水切りできる。排水ガイド２０は、底部を構成する平板部と、平板部の太陽電池パネル３に連結している側と反対側の端部から立ち上がった縦板部とを備えている。
【００７５】
排水ガイド２０は、図９に示すように、下面２０ａが排水口側ほど下方に位置する傾斜状態となるよう構成されている。具体的には、排水ガイド２０は、下面２０ａであって、かつ流水方向に垂直な面による断面において最も低い点によってなる線が、排水口２１から流水方向上手側に離れるほど上方に位置する傾斜状態となるように構成されている。下面２０ａに結露水や農薬などの液滴が付着しても、付着した液滴が下面２０ａに沿って排水口２１に向けて流れて行き易くなる。
【００７６】
〔別実施形態〕
（１）図１０は、別の排水構造を備えた太陽電池パネル３を示す平面図である。図１１は、図１０のＸＩ−ＸＩ断面矢視図である。別の排水構造を備えた太陽電池パネル３では、排水ガイド２０は、その水路２０ｂの横断面積が水路２０ｂの始点から排水口２１に向かって広くなっていくように構成されている。
【００７７】
具体的には、排水ガイド２０は、水路２０ｂの始点における最も低い位置Ｐ１と水路２０ｂの終点における最も低い位置Ｐ２とを結ぶ直線Ｚと、最下端の角部分Ａから延びる横向きの辺縁部３ｃとの間隔が排水口２１側ほど広くなるように構成されている。
【００７８】
最下端の角部分Ａから離れた部位よりも、最下端の角部分Ａ及びその付近の方が多量の液滴が滴下するが、その多量の液滴が、水路２０ｂのうち、排水口側の横断面積が広い部分に流入するので、液滴を排水ガイド２０に溢れ出難いように受け入れられる。
【００７９】
（２）上記した実施例では、太陽電池パネル３の向きを南向きにした例を示したが、農地１の採光状況などによっては、南向きから少し外れた向きなど、南向き以外の向きにしてもよい。
【００８０】
（３）上記した実施例では、一対の支持フレーム１１，１２の鉛直方向に沿う方向の間隔を梁フレーム１３によって設定した例を示したが、一対の支持フレーム１１，１２の両方を梁フレーム１３の上側又は下側に配置し、支持フレーム１１，１２と梁フレーム１３との間にスペーサ部材を介装し、一対の支持フレーム１１，１２の鉛直方向に沿う方向の間隔をスペーサ部材によって設定する構成を採用して実施してもよい。
【００８１】
（４）上記した実施例では、太陽電池パネル３から突出する一対の取付脚部５，６の突出高さが相違することで、１つの角部分Ａが３つの角部分Ｂよりも低く位置する太陽電池パネル３の取付け姿勢を現出するよう構成した例を示したが、この構成に代え、一対の取付脚部５，６の突出高さを同じに設定し、取付脚部５，６と支持フレーム１１，１２との間に高さ調整部材を介装し、１つの角部分Ａが３つの角部分Ｂよりも低く位置する取付け姿勢を高さ調整部材によって現出する構成を採用してもよい。
【産業上の利用可能性】
【００８２】
本発明は、太陽電池パネル３の下方で乗用型の農機を使用できる対地高さで太陽電池パネルを支持する太陽光発電設備に限らず、これよりも太陽電池パネル３の対地高さが低く、乗用型の農機を使用できないが、歩行型の農機を使用できるなど、太陽電池パネル３の対地高さが種々異なる太陽光発電設備に利用できる。
【符号の説明】
【００８３】
１        農地
２        架台
３        太陽電池パネル
３ｃ      辺縁部
３ｄ      辺縁部
４        耕作面（畝）
５        取付脚部
５ｈ      高さ
６        取付脚部
６ｈ      高さ
１０      支持
１１      支持フレーム
１１ａ    軸芯
１２      支持フレーム
１２ａ    軸芯
１３      梁フレーム
１５      補強部材
２０      排水ガイド
２０ａ    下面
２０ｂ    水路
２１      排水口
２２      水切り板
Ａ        角部分
Ｂ        角部分
Ｌ        接線
Ｐ１      低い位置
Ｐ２      低い位置
Ｘ        輪郭
【図１】
0006632809.tif 000002
【図２】
0006632809.tif 000003
【図３】
0006632809.tif 000004
【図４】
0006632809.tif 000005
【図５】
0006632809.tif 000006
【図６】
0006632809.tif 000007
【図７】
0006632809.tif 000008
【図８】
0006632809.tif 000009
【図９】
0006632809.tif 000010
【図１０】
0006632809.tif 000011
【図１１】
0006632809.tif 000012
【図１２】
0006632809.tif 000013
【図１３】
0006632809.tif 000014